【手続補正書】
【提出日】平成17年2月7日(2005.2.7)
【手続補正１】
【補正対象書類名】明細書
【補正対象項目名】発明の名称
【補正方法】変更
【補正の内容】
【発明の名称】情報通信方法およびその装置
【手続補正２】
【補正対象書類名】明細書
【補正対象項目名】特許請求の範囲
【補正方法】変更
【補正の内容】
【特許請求の範囲】
【請求項１】
送信側は、人物を判別し、判別された前記人物の数を更新蓄積し、予約者を識別する識別子および予約者の予約の順序からなる受付予約情報を蓄積し、蓄積された前記人物の数と蓄積された前記受付予約情報に基づいて受付順序待ち情報を生成し、前記受付順序待ち情報を送信し、受信側は、前記受付順序待ち情報を受信し、前記受付順序待ち情報を表示し、ユーザからの入力を受け付け、前記ユーザからの入力に基づいて受付予約要求を返信し、前記送信側は、前記受付予約要求を受信し、受信した前記受付要求情報に基づいて前記受付予約情報を更新することを特徴とする情報通信方法。
【請求項２】
送信側は、人物を判別する人物判別手段と、前記人物判別手段によって判別された人物の数を蓄積する人数蓄積手段と、予約者を識別する識別子および予約者の予約の順序からなる受付予約情報からなる受付予約情報を蓄積する受付予約情報蓄積手段と、前記人数蓄積手段に蓄積される人物の数と前記受付予約情報蓄積手段に蓄積される受付予約情報とに基づいて受付順序待ち情報を生成する受付順序待ち情報構成手段と、前記受付順序待ち情報を送信する受付順序待ち情報送信手段とを有し、受信側は、前記受付順序待ち情報を受信する受付順序待ち情報受信手段と、受信した前記受付順序待ち情報を表示する受付順序待ち情報表示手段と、ユーザからの入力を受け付ける入力受付手段と、前記入力受付手段からの入力に基づいて受付予約要求を返信する受付予約要求返信手段とを有し、前記送信側は、さらに、前記受付予約要求返信手段によって返信された受付予約要求を受信する受付予約要求受信手段と、前記受付要求受信手段によって受信した受付予約要求に基づいて前記予約情報蓄積手段に蓄積される予約情報の更新を行う受付予約情報更新手段とを有することを特徴とする情報通信装置。
【請求項３】
人物を判別する人物判別手段と、前記人物判別手段によって判別された人物の数を蓄積する人数蓄積手段と、予約者を識別する識別子および予約者の予約の順序からなる受付予約情報を蓄積する受付予約情報蓄積手段と、前記人数蓄積手段に蓄積される人物の数と前記受付予約情報蓄積手段に蓄積される受付予約情報とに基づいて受付順序待ち情報を生成する受付順序待ち情報構成手段と、前記受付順序待ち情報を送信する受付順序待ち情報送信手段と、前記受付順序待ち情報を閲覧したユーザからの受付予約要求を受信する受付予約要求受信手段と、前記受付要求受信手段によって受信した受付予約要求に基づいて前記予約情報蓄積手段に蓄積される予約情報の更新を行う受付予約情報更新手段とを有することを特徴とする情報送出装置。
【請求項４】
予約者を識別する識別子および予約者の予約の順序からなる受付予約情報と人物判定によって判別された人物の数に基づいて生成された受付順序待ち情報を受信する受付順序待ち情報受信手段と、受信した前記受付順序待ち情報を表示する受付順序待ち情報表示手段と、ユーザからの入力を受け付ける入力受付手段と、前記入力受付手段からの入力に基づいて受付予約要求を返信する受付予約要求返信手段とを有することを特徴とする情報受信装置。
【請求項５】
予約者を識別する識別子および予約の順序からなる受付予約情報と人物判定によって判別された人物の数に基づいて構成された受付順序待ち情報と、送信元識別子とからなる送信元情報とを少なくとも２ヶ所以上の情報送出元から受信し、受信した受付順序待ち情報と送信元情報とを蓄積し、蓄積された受付順序待ち情報に基づいて受付順序待ち情報と送信元情報とを並び替えて表示することを特徴とする情報受信方法。
【請求項６】
予約者を識別する識別子および予約の順序からなる受付予約情報と人物判定によって判別された人物の数に基づいて構成された受付順序待ち情報と、少なくとも送信元識別子からなる送信元情報とを少なくとも２ヶ所以上の情報送出元から受信する受付順序待ち情報受信手段と、受信した受付順序待ち情報と送信元情報とを蓄積し、蓄積された受付順序待ち情報に基づいて受付順序待ち情報と送信元情報とを並び替えて表示する受付順序待ち情報表示手段とを有することを特徴とする情報受信装置。
【請求項７】
送信側は、生成された受付順序待ち情報に基づいて、受付順の近い予約元を選出し、選出された少なくとも１つの予約元に通知を送信し、受信側は、前記通知を受信し、受信した前記通知を表示することを特徴とする請求項１記載の情報通信方法。
【請求項８】
送信側は、受付順序待ち情報構成手段によって生成された受付順序待ち情報に基づいて、受付順の近い予約元を選出する受付予約元選出手段と、前記受付予約元選出手段において選出された少なくとも１つの受付予約元に通知を送信する通知送信手段とを有し、受信側は、前記通知を受信する通知受信手段と、受信した前記通知を表示する通知表示手段とを有することを特徴とする請求項２記載の情報通信装置。
【請求項９】
受付順序待ち情報構成手段によって生成された受付順序待ち情報に基づいて、受付順の近い予約元を選出する受付予約元選出手段と、前記受付予約元選出手段において選出された少なくとも１つの受付予約元に通知を送信する通知送信手段とを有することを特徴とする請求項３記載の情報送出装置。
【請求項１０】
少なくとも予約者を識別する識別子および予約者の予約の順序からなる受付予約情報と人物判定によって判別された人物の数とに基づいて生成された受付順序待ち情報に基づいて受付順が近いと判断された予約元に対して送信される通知を受信する通知受信手段と、受信した前記通知を表示する通知表示手段とを有することを特徴とする請求項４記載の情報受信装置。
【請求項１１】
少なくとも予約者を識別する識別子および予約者の予約の順序からなる受付予約情報と人物判定によって判別された人物の数とに基づいて生成された受付順序待ち情報と、少なくとも送信元識別子からなる送信元情報とを少なくとも２ヵ所以上から受信し、受信した前記受付順序待ち情報と前記送信元情報とを蓄積し、蓄積した受付順序待ち情報に基づいて最も順序の早い送信元を選出し、前記選出された送信元に対して受付要求を返信することを特徴とする情報受信方法。
【請求項１２】
少なくとも予約者を識別する識別子および予約者の予約の順序からなる受付予約情報と人物判定によって判別された人物の数とに基づいて生成された受付順序待ち情報と、少なくとも送信元識別子からなる送信元情報とを少なくとも２ヵ所以上から受信する受付順序待ち情報受信手段と、受信した前記受付順序待ち情報と前記送信元情報とを蓄積する受付順序待ち情報蓄積手段と、前記受付順序待ち情報蓄積手段に蓄積される受付順序待ち情報に基づいて最も順序の早い送信元を選出する最適送信元選出手段と、前記最適送信元選出手段によって選出された送信元に対して受付要求を返信する受付要求返信手段とを有することを特徴とする情報受信装置。
【請求項１３】
送信側は、現在時刻を取得し、通知の送信を行った送信時刻および受付予約要求を受信した受信先を蓄積し、受付無効時間の入力を受け付け、前記受付無効時間を蓄積し、蓄積された前記送信時刻と取得した現在時刻に基づいて前記無効時間を超えた受信先を選出し、選出された前記受信先に受付が無効となったことを意味する所定の受付無効情報を送信し、受信側は、前記受付無効情報を受信した場合に、受付無効情報を表示することを特徴とする請求項７記載の情報通信方法。
【請求項１４】
送信側は、現在時刻取得手段と、通知の送信を行った送信時刻および受付予約要求を受信した受信先を蓄積する受信先蓄積手段と、受付無効時間の入力を受け付ける受付無効時間入力手段と、前記受付無効時間入力手段によって入力された受付無効時間を蓄積する受付無効時間蓄積手段と、前記受信先蓄積手段に蓄積された送信時刻と前記現在時刻取得手段によって取得された現在時刻とに基づいて前記受付無効時間蓄積手段に蓄積される無効時間を超えた受信先を選出する無効受信先選出手段と、前記無効受信先選出手段によって選出された受信先に受付が無効となったことを意味する所定の受付無効情報を送信する受付無効情報送信手段とを有し、受信側は、前記受付無効情報を受信する受付無効情報受信手段と、受信した受付無効情報を表示する受付無効情報表示装置とを有することを特徴とする請求項８記載の情報通信装置。
【請求項１５】
現在時刻取得手段と、通知の送信を行った送信時刻および受付予約要求を受信した受信先を蓄積する受信先蓄積手段と、受付無効時間の入力を受け付ける受付無効時間入力手段と、前記受付無効時間入力手段によって入力された受付無効時間を蓄積する受付無効時間蓄積手段と、前記受信先蓄積手段に蓄積された送信時刻と前記現在時刻取得手段によって取得された現在時刻とに基づいて前記受付無効時間蓄積手段に蓄積される無効時間を超えた受信先を選出する無効受信先選出手段と、前記無効受信先選出手段によって選出された受信先に受付が無効となったことを意味する所定の受付無効情報を送信する受付無効情報送信手段とを有することを特徴とする請求項９記載の情報送出装置。
【請求項１６】
前記通知の送信時刻と現在時刻との差を求め、入力された受付無効時間と比較することにより前記受付無効時間の方が長い場合に発行される前記通知が無効となったことを意味する所定の受付無効情報に対し、前記受付無効情報を受信する受付無効情報受信手段と、受信した受付無効情報を表示する受付無効情報表示装置とを有することを特徴とする請求項１０記載の情報受信装置。
【請求項１７】
受信側は、受付予約要求を返信した予約要求返信先を蓄積し、蓄積された予約要求返信先を表示し、表示された前記予約要求返信先の選択を受け付け、選択された予約要求返信先に対して少なくとも受信側の識別子を含む予約取消要求を送信し、送信側は、前記予約取消要求を受信し、受信された前記予約取消要求に基づいて受付予約情報の取消を行うことを特徴とする請求項１記載の情報通信方法。
【請求項１８】
受信側は、受付予約要求返信手段によって受付予約要求を返信した返信先を蓄積する予約要求返信先蓄積手段と、前記予約要求返信先蓄積手段に蓄積される予約要求返信先を表示する予約要求返信先表示手段と、表示された前記予約要求返信先を選択する予約要求返信先選択手段と、選択された前記予約要求返信先に対して少なくとも受信側の識別子を含む予約取消要求を送信する予約取消要求返信手段とを有し、送信側は、送信された前記予約取消要求を受信する予約取消要求受信手段と、受信された前記予約取消要求に基づいて受付予約情報蓄積手段に蓄積される受付予約情報の取消を行う受付予約取消手段とを有することを特徴とする請求項２記載の情報通信装置。
【請求項１９】
受付予約要求返信手段によって受付予約要求を返信した返信先を蓄積する予約要求返信先蓄積手段と、前記予約要求返信先蓄積手段に蓄積される予約要求返信先を表示する予約要求返信先表示手段と、表示された前記予約要求返信先を選択する予約要求返信先選択手段と、選択された前記予約要求返信先に対して少なくとも受信側の識別子を含む予約取消要求を送信する予約取消要求返信手段とを有することを特徴とする請求項４記載の情報受信装置。
【請求項２０】
受信側において受付予約要求を返信した返信先の中から送信されてきた予約取消を行う受信側の識別子を含む予約取消要求情報を受信する予約取消要求受信手段と、受信された前記予約取消要求情報に基づいて受付予約情報蓄積手段に蓄積される受付予約情報の取消を行う受付予約取消手段とを有することを特徴とする請求項３記載の情報送出装置。
【請求項２１】
受信側は、受付予約要求を返信した予約要求返信先を蓄積し、通知を受信した受付送信元以外の予約要求返信先に対して少なくとも受信側の識別子を含む予約取消要求を返信し、送信側は、返信された前記予約取消要求を受信し、受信された前記予約取消要求に基づいて蓄積される受付予約情報の取消を行うことを特徴とする請求項７記載の情報通信方法。
【請求項２２】
受信側は、受付予約要求返信手段によって受付予約要求を返信した予約要求返信先を蓄積する予約要求返信先蓄積手段と、前記通知受信手段によって通知を受信した受付送信元以外の予約要求返信先に対して少なくとも受信側の識別子を含む予約取消要求を返信する予約取消要求返信手段とを有し、送信側は、返信された前記予約取消要求を受信する予約取消要求受信手段と、受信された前記予約取消要求に基づいて前記受付予約情報蓄積手段に蓄積される受付予約情報の取消を行う受付予約取消手段とを有することを特徴とする請求項８記載の情報通信装置。
【請求項２３】
受付予約要求返信手段によって受付予約要求を返信した予約要求返信先を蓄積する予約要求返信先蓄積手段と、前記通知受信手段によって受付通知を受信した受付送信元以外の予約要求返信先に対して少なくとも受信側の識別子を含む予約取消要求を返信する予約取消要求返信手段とを有することを特徴とする請求項１０記載の情報受信装置。
【請求項２４】
受信側において受付予約要求を返信した返信先の中から送信されてきた予約取消を行う受信側の識別子を含む予約取消要求情報を受信する予約取消要求受信手段と、受信された前記予約取消要求情報に基づいて前記受付予約情報蓄積手段に蓄積される受付予約情報の取消を行う受付予約取消手段とを有することを特徴とする請求項９記載の情報送出装置。
【請求項２５】
受信側は、受付予約要求を返信した返信先を蓄積し、蓄積される予約要求返信先を表示し、表示された前記予約要求返信先の選択を受け付け、選択された前記予約要求返信先に対して少なくとも受信側の識別子を含む予約問い合わせ要求を返信し、送信側では、返信された前記予約問い合わせ要求を受信し、蓄積された前記人物の数と蓄積された前記受付予約情報に基づいて受付順序待ち情報を生成し、生成された受付順序待ち情報を送信し、前記受信側は、前記受付順序待ち情報を受信し、受信した受付順序待ち情報を表示することを特徴とする請求項１記載の情報通信方法。
【請求項２６】
受信側は、受付予約要求返信手段によって受付予約要求を返信した返信先を蓄積する予約要求返信先蓄積手段と、前記予約要求返信先蓄積手段に蓄積される予約要求返信先を表示する予約要求返信先表示手段と、表示された前記予約要求返信先を選択する予約要求返信先選択手段と、選択された前記予約要求返信先に対して少なくとも受信側の識別子を含む予約問い合わせ要求を返信する予約問い合わせ要求返信手段とを有し、送信側は、返信された前記予約問い合わせ要求を受信する予約問い合わせ要求受信手段と、人数蓄積手段に蓄積される人物の数と前記受付予約情報蓄積手段に蓄積される受付予約情報に基づいて受付順序待ち情報を生成する受付順序待ち情報構成手段と、前記受付順序待ち情報を送信する受付順序待ち情報送信手段とを有し、受信側は、さらに前記受付順序待ち情報を受信する受付順序待ち情報受信手段と、受信した前記受付順序待ち情報を表示する受付順序待ち情報表示手段とを有することを特徴とする請求項２記載の情報通信装置。
【請求項２７】
受付予約要求返信手段によって受付予約要求を返信した返信先を蓄積する予約要求返信先蓄積手段と、前記予約要求返信先蓄積手段に蓄積される予約要求返信先を表示する予約要求返信先表示手段と、表示された前記予約要求返信先を選択する予約要求返信先選択手段と、選択された前記予約要求返信先に対して少なくとも受信側の識別子を含む予約問い合わせ要求を返信する予約問い合わせ要求返信手段と、少なくとも予約者を識別する識別子および予約の順序からなる受付予約情報と人物判定によって判別された人物の数に基づいて生成された受付順序待ち情報を受信する受付順序待ち情報受信手段と、受信した前記受付順序待ち情報を表示する受付順序待ち情報表示手段とを有することを特徴とする請求項４記載の情報受信装置。
【請求項２８】
受信側において受付予約要求を返信した返信先の中で予約問い合わせを行う返信先に対して返信する少なくとも受信側の識別子を含む予約問い合わせ要求に対して、返信された前記予約問い合わせ要求を受信する予約問い合わせ要求受信手段と、人数蓄積手段に蓄積される人物の数と前記受付予約情報蓄積手段に蓄積される受付予約情報に基づいて受付順序待ち情報を生成する受付順序待ち情報構成手段と、前記受付順序待ち情報を送信する受付順序待ち情報送信手段とを有することを特徴とする請求項３記載の情報送出装置。
【手続補正３】
【補正対象書類名】明細書
【補正対象項目名】０００５
【補正方法】変更
【補正の内容】
【０００５】
【課題を解決するための手段】
上記課題を解決するため、本発明は、人物を判別する人物判別手段と、前記人物判別手段によって判別された人物の数を蓄積する人数蓄積手段と、予約者を識別する識別子および予約者の予約の順序からなる受付予約情報を蓄積する受付予約情報蓄積手段と、前記人数蓄積手段に蓄積される人物の数と前記受付予約情報蓄積手段に蓄積される受付予約情報とに基づいて受付順序待ち情報を生成する受付順序待ち情報構成手段と、前記受付順序待ち情報を送信する受付順序待ち情報送信手段と、前記受付順序待ち情報を閲覧したユーザからの受付予約要求を受信する受付予約要求受信手段と、前記受付要求受信手段によって受信した受付予約要求に基づいて前記予約情報蓄積手段に蓄積される予約情報の更新を行う受付予約情報更新手段とを有する
【手続補正４】
【補正対象書類名】明細書
【補正対象項目名】０００６
【補正方法】変更
【補正の内容】
【０００６】
また、予約者を識別する識別子および予約者の予約の順序からなる受付予約情報と人物判定によって判別された人物の数に基づいて生成された受付順序待ち情報を受信する受付順序待ち情報受信手段と、受信した前記受付順序待ち情報を表示する受付順序待ち情報表示手段と、ユーザからの入力を受け付ける入力受付手段と、前記入力受付手段からの入力に基づいて受付予約要求を返信する受付予約要求返信手段とを有する。
【手続補正５】
【補正対象書類名】明細書
【補正対象項目名】０００７
【補正方法】変更
【補正の内容】
【０００７】
【発明の実施の形態】
本発明の第一の実施形態は、送信側は、人物を判別し、判別された前記人物の数を更新蓄積し、蓄積された前記人物の数を送信し、受信側は、前記人物の数を受信し、受信した前記人物の数を表示することを特徴とする。
かかる構成により、現在の予約受付先に並んでいる人物の数を予約受付に先立って予め知ることができる。
【手続補正６】
【補正対象書類名】明細書
【補正対象項目名】０００８
【補正方法】変更
【補正の内容】
【０００８】
本発明の第一の実施形態の情報送出装置では、人物を判別する人物判別手段と、前記人物判別手段によって判別された人物の数を蓄積する人数蓄積手段と、前記人数蓄積手段に蓄積される人数の更新を行う人数更新手段と、前記人数蓄積手段に蓄積される人物の数を送信する人数送信手段とを有する。
【手続補正７】
【補正対象書類名】明細書
【補正対象項目名】００１０
【補正方法】変更
【補正の内容】
【００１０】
本発明の第一の実施形態の情報受信装置では、人物判定によって判別された人物の数を受信する人数受信手段と、前記人数受信手段によって受信された人物の数を表示する人数表示手段とを有する。
【手続補正８】
【補正対象書類名】明細書
【補正対象項目名】００１２
【補正方法】変更
【補正の内容】
【００１２】
本発明の第二の実施形態における情報伝達方法では、送信側は、人物を判別し、判別された前記人物の数を更新蓄積し、予約者を識別する識別子および予約者の予約の順序からなる受付予約情報を蓄積し、蓄積された前記人物の数と蓄積された前記受付予約情報に基づいて受付順序待ち情報を生成し、前記受付順序待ち情報を送信し、受信側は、前記受付順序待ち情報を受信し、前記受付順序待ち情報を表示し、ユーザからの入力を受け付け、前記ユーザからの入力に基づいて受付予約要求を返信し、前記送信側は、前記受付予約要求を受信し、受信した前記受付要求情報に基づいて前記受付予約情報を更新する。
【手続補正９】
【補正対象書類名】明細書
【補正対象項目名】００１３
【補正方法】変更
【補正の内容】
【００１３】
本発明の第二の実施形態における情報伝達装置では、送信側は、人物を判別する人物判別手段と、前記人物判別手段によって判別された人物の数を蓄積する人数蓄積手段と、予約者を識別する識別子および予約者の予約の順序からなる受付予約情報からなる受付予約情報を蓄積する受付予約情報蓄積手段と、前記人数蓄積手段に蓄積される人物の数と前記受付予約情報蓄積手段に蓄積される受付予約情報とに基づいて受付順序待ち情報を生成する受付順序待ち情報構成手段と、前記受付順序待ち情報を送信する受付順序待ち情報送信手段とを有し、受信側は、前記受付順序待ち情報を受信する受付順序待ち情報受信手段と、受信した前記受付順序待ち情報を表示する受付順序待ち情報表示手段と、ユーザからの入力を受け付ける入力受付手段と、前記入力受付手段からの入力に基づいて受付予約要求を返信する受付予約要求返信手段とを有し、前記送信側は、さらに、前記受付予約要求返信手段によって返信された受付予約要求を受信する受付予約要求受信手段と、前記受付要求受信手段によって受信した受付予約要求に基づいて前記予約情報蓄積手段に蓄積される予約情報の更新を行う受付予約情報更新手段とを有することを特徴とする。
【手続補正１０】
【補正対象書類名】明細書
【補正対象項目名】００１５
【補正方法】変更
【補正の内容】
【００１５】
本発明の第二の実施形態における情報送出装置では、人物を判別する人物判別手段と、前記人物判別手段によって判別された人物の数を蓄積する人数蓄積手段と、予約者を識別する識別子および予約者の予約の順序からなる受付予約情報を蓄積する受付予約情報蓄積手段と、前記人数蓄積手段に蓄積される人物の数と前記受付予約情報蓄積手段に蓄積される受付予約情報とに基づいて受付順序待ち情報を生成する受付順序待ち情報構成手段と、前記受付順序待ち情報を送信する受付順序待ち情報送信手段と、前記受付順序待ち情報を閲覧したユーザからの受付予約要求を受信する受付予約要求受信手段と、前記受付要求受信手段によって受信した受付予約要求に基づいて前記予約情報蓄積手段に蓄積される予約情報の更新を行う受付予約情報更新手段とを有する。
【手続補正１１】
【補正対象書類名】明細書
【補正対象項目名】００１７
【補正方法】変更
【補正の内容】
【００１７】
本発明の第二の実施形態における情報受信装置では、予約者を識別する識別子および予約者の予約の順序からなる受付予約情報と人物判定によって判別された人物の数に基づいて生成された受付順序待ち情報を受信する受付順序待ち情報受信手段と、受信した前記受付順序待ち情報を表示する受付順序待ち情報表示手段と、ユーザからの入力を受け付ける入力受付手段と、前記入力受付手段からの入力に基づいて受付予約要求を返信する受付予約要求返信手段とを有する。
【手続補正１２】
【補正対象書類名】明細書
【補正対象項目名】００１９
【補正方法】変更
【補正の内容】
【００１９】
本発明の第三の実施形態における情報受信方法では、予約者を識別する識別子および予約の順序からなる受付予約情報と人物判定によって判別された人物の数に基づいて構成された受付順序待ち情報と、送信元識別子とからなる送信元情報とを少なくとも２ヶ所以上の情報送出元から受信し、受信した受付順序待ち情報と送信元情報とを蓄積し、蓄積された受付順序待ち情報に基づいて受付順序待ち情報と送信元情報とを並び替えて表示することを特徴とする。
【手続補正１３】
【補正対象書類名】明細書
【補正対象項目名】００２０
【補正方法】変更
【補正の内容】
【００２０】
本発明の第三の実施形態における情報受信装置では、予約者を識別する識別子および予約の順序からなる受付予約情報と人物判定によって判別された人物の数に基づいて構成された受付順序待ち情報と、少なくとも送信元識別子からなる送信元情報とを少なくとも２ヶ所以上の情報送出元から受信する受付順序待ち情報受信手段と、受信した受付順序待ち情報と送信元情報とを蓄積し、蓄積された受付順序待ち情報に基づいて受付順序待ち情報と送信元情報とを並び替えて表示する受付順序待ち情報表示手段とを有することを特徴とする情報受信装置。
【手続補正１４】
【補正対象書類名】明細書
【補正対象項目名】００２２
【補正方法】変更
【補正の内容】
【００２２】
本発明の第四の実施形態における情報伝達方法では、送信側は、生成された受付順序待ち情報に基づいて、受付順の近い予約元を選出し、選出された少なくとも１つの予約元に通知を送信し、受信側は、前記通知を受信し、受信した前記通知を表示する。
【手続補正１５】
【補正対象書類名】明細書
【補正対象項目名】００２３
【補正方法】変更
【補正の内容】
【００２３】
本発明の第四の実施形態における情報伝達装置では、
第ニの実施形態の情報伝達装置の有する手段に加えて、送信側は、受付順序待ち情報構成手段によって生成された受付順序待ち情報に基づいて、受付順の近い予約元を選出する受付予約元選出手段と、前記受付予約元選出手段において選出された少なくとも１つの受付予約元に通知を送信する通知送信手段とを有し、受信側は、前記通知を受信する通知受信手段と、受信した前記通知を表示する通知表示手段とを有する。
【手続補正１６】
【補正対象書類名】明細書
【補正対象項目名】００２５
【補正方法】変更
【補正の内容】
【００２５】
本発明の第四の実施形態における情報送出装置では、
第二の実施形態の情報送出装置の有する手段に加えて、受付順序待ち情報構成手段によって生成された受付順序待ち情報に基づいて、受付順の近い予約元を選出する受付予約元選出手段と、前記受付予約元選出手段において選出された少なくとも１つの受付予約元に通知を送信する通知送信手段とを有する。
【手続補正１７】
【補正対象書類名】明細書
【補正対象項目名】００２７
【補正方法】変更
【補正の内容】
【００２７】
本発明の第四の実施形態における情報受信装置では、
第二の実施形態の情報受信装置の有する手段に加えて、少なくとも予約者を識別する識別子および予約者の予約の順序からなる受付予約情報と人物判定によって判別された人物の数とに基づいて生成された受付順序待ち情報に基づいて受付順が近いと判断された予約元に対して送信される通知を受信する通知受信手段と、受信した前記通知を表示する通知表示手段とを有する。
【手続補正１８】
【補正対象書類名】明細書
【補正対象項目名】００２９
【補正方法】変更
【補正の内容】
【００２９】
本発明の第五の実施形態における情報受信方法では、
少なくとも予約者を識別する識別子および予約者の予約の順序からなる受付予約情報と人物判定によって判別された人物の数とに基づいて生成された受付順序待ち情報と、少なくとも送信元識別子からなる送信元情報とを少なくとも２ヵ所以上から受信し、受信した前記受付順序待ち情報と前記送信元情報とを蓄積し、蓄積した受付順序待ち情報に基づいて最も順序の早い送信元を選出し、前記選出された送信元に対して受付要求を返信することを特徴とする。
【手続補正１９】
【補正対象書類名】明細書
【補正対象項目名】００３０
【補正方法】変更
【補正の内容】
【００３０】
本発明の第五の実施形態における情報受信装置では、少なくとも予約者を識別する識別子および予約者の予約の順序からなる受付予約情報と人物判定によって判別された人物の数とに基づいて生成された受付順序待ち情報と、少なくとも送信元識別子からなる送信元情報とを少なくとも２ヵ所以上から受信する受付順序待ち情報受信手段と、受信した前記受付順序待ち情報と前記送信元情報とを蓄積する受付順序待ち情報蓄積手段と、前記受付順序待ち情報蓄積手段に蓄積される受付順序待ち情報に基づいて最も順序の早い送信元を選出する最適送信元選出手段と、前記最適送信元選出手段によって選出された送信元に対して受付要求を返信する受付要求返信手段とを有する。
【手続補正２０】
【補正対象書類名】明細書
【補正対象項目名】００３２
【補正方法】変更
【補正の内容】
【００３２】
本発明の第六の実施形態における情報伝達方法では、
送信側は、現在時刻を取得し、通知の送信を行った送信時刻および受付予約要求を受信した受信先を蓄積し、受付無効時間の入力を受け付け、前記受付無効時間を蓄積し、蓄積された前記送信時刻と取得した現在時刻に基づいて前記無効時間を超えた受信先を選出し、選出された前記受信先に受付が無効となったことを意味する所定の受付無効情報を送信し、受信側は、前記受付無効情報を受信した場合に、受付無効情報を表示することを特徴とする。
【手続補正２１】
【補正対象書類名】明細書
【補正対象項目名】００３３
【補正方法】変更
【補正の内容】
【００３３】
本発明の第六の実施形態における情報通信装置では、
送信側は、現在時刻取得手段と、通知の送信を行った送信時刻および受付予約要求を受信した受信先を蓄積する受信先蓄積手段と、受付無効時間の入力を受け付ける受付無効時間入力手段と、前記受付無効時間入力手段によって入力された受付無効時間を蓄積する受付無効時間蓄積手段と、前記受信先蓄積手段に蓄積された送信時刻と前記現在時刻取得手段によって取得された現在時刻とに基づいて前記受付無効時間蓄積手段に蓄積される無効時間を超えた受信先を選出する無効受信先選出手段と、前記無効受信先選出手段によって選出された受信先に受付が無効となったことを意味する所定の受付無効情報を送信する受付無効情報送信手段とを有し、受信側は、前記受付無効情報を受信する受付無効情報受信手段と、受信した受付無効情報を表示する受付無効情報表示装置とを有する。
【手続補正２２】
【補正対象書類名】明細書
【補正対象項目名】００３５
【補正方法】変更
【補正の内容】
【００３５】
本発明の第六の実施形態における情報送出装置では、
第四の実施形態の情報送出装置の有する手段に加えて、現在時刻取得手段と、通知の送信を行った送信時刻および受付予約要求を受信した受信先を蓄積する受信先蓄積手段と、受付無効時間の入力を受け付ける受付無効時間入力手段と、前記受付無効時間入力手段によって入力された受付無効時間を蓄積する受付無効時間蓄積手段と、前記受信先蓄積手段に蓄積された送信時刻と前記現在時刻取得手段によって取得された現在時刻とに基づいて前記受付無効時間蓄積手段に蓄積される無効時間を超えた受信先を選出する無効受信先選出手段と、前記無効受信先選出手段によって選出された受信先に受付が無効となったことを意味する所定の受付無効情報を送信する受付無効情報送信手段とを有する。
【手続補正２３】
【補正対象書類名】明細書
【補正対象項目名】００３７
【補正方法】変更
【補正の内容】
【００３７】
本発明の第六の実施形態における情報受信装置では、
第四の実施形態の情報送出装置の有する手段に加えて、前記通知の送信時刻と現在時刻との差を求め、入力された受付無効時間と比較することにより前記受付無効時間の方が長い場合に発行される前記通知が無効となったことを意味する所定の受付無効情報に対し、前記受付無効情報を受信する受付無効情報受信手段と、受信した受付無効情報を表示する受付無効情報表示装置とを有する。
【手続補正２４】
【補正対象書類名】明細書
【補正対象項目名】００３９
【補正方法】変更
【補正の内容】
【００３９】
本発明の第七の実施形態における情報伝達方法では、
第二の実施形態における情報伝達方法において、受信側は、受付予約要求を返信した予約要求返信先を蓄積し、蓄積された予約要求返信先を表示し、表示された前記予約要求返信先の選択を受け付け、選択された予約要求返信先に対して少なくとも受信側の識別子を含む予約取消要求を送信し、送信側は、前記予約取消要求を受信し、受信された前記予約取消要求に基づいて受付予約情報の取消を行うことを特徴とする。
【手続補正２５】
【補正対象書類名】明細書
【補正対象項目名】００４０
【補正方法】変更
【補正の内容】
【００４０】
本発明の第七の実施形態における情報伝達装置では、
第ニの実施形態の情報伝達装置の有する手段に加えて、受信側は、受付予約要求返信手段によって受付予約要求を返信した返信先を蓄積する予約要求返信先蓄積手段と、前記予約要求返信先蓄積手段に蓄積される予約要求返信先を表示する予約要求返信先表示手段と、表示された前記予約要求返信先を選択する予約要求返信先選択手段と、選択された前記予約要求返信先に対して少なくとも受信側の識別子を含む予約取消要求を送信する予約取消要求返信手段とを有し、送信側は、送信された前記予約取消要求を受信する予約取消要求受信手段と、受信された前記予約取消要求に基づいて受付予約情報蓄積手段に蓄積される受付予約情報の取消を行う受付予約取消手段とを有する。
【手続補正２６】
【補正対象書類名】明細書
【補正対象項目名】００４２
【補正方法】変更
【補正の内容】
【００４２】
本発明の第七の実施形態における情報受信装置では、
第二の実施形態の情報受信装置の有する手段に加えて、受付予約要求返信手段によって受付予約要求を返信した返信先を蓄積する予約要求返信先蓄積手段と、前記予約要求返信先蓄積手段に蓄積される予約要求返信先を表示する予約要求返信先表示手段と、表示された前記予約要求返信先を選択する予約要求返信先選択手段と、選択された前記予約要求返信先に対して少なくとも受信側の識別子を含む予約取消要求を送信する予約取消要求返信手段とを有する。
【手続補正２７】
【補正対象書類名】明細書
【補正対象項目名】００４４
【補正方法】変更
【補正の内容】
【００４４】
本発明の第七の実施形態における情報送出装置では、
第二の実施形態の情報送出装置の有する手段に加えて、受信側において受付予約要求を返信した返信先の中から送信されてきた予約取消を行う受信側の識別子を含む予約取消要求情報を受信する予約取消要求受信手段と、受信された前記予約取消要求情報に基づいて受付予約情報蓄積手段に蓄積される受付予約情報の取消を行う受付予約取消手段とを有する。
【手続補正２８】
【補正対象書類名】明細書
【補正対象項目名】００４５
【補正方法】変更
【補正の内容】
【００４５】
かかる構成により、受付予約要求の取消を行うことができる。
本発明の第八の実施形態における情報伝達方法では、
受信側は、受付予約要求を返信した予約要求返信先を蓄積し、通知を受信した受付送信元以外の予約要求返信先に対して少なくとも受信側の識別子を含む予約取消要求を返信し、送信側は、返信された前記予約取消要求を受信し、受信された前記予約取消要求に基づいて蓄積される受付予約情報の取消を行うことを特徴とする。
【手続補正２９】
【補正対象書類名】明細書
【補正対象項目名】００４６
【補正方法】変更
【補正の内容】
【００４６】
本発明の第八の実施形態における情報伝達装置では、
第四の実施形態の情報伝達装置の有する手段に加えて、受信側は、受付予約要求返信手段によって受付予約要求を返信した予約要求返信先を蓄積する予約要求返信先蓄積手段と、前記通知受信手段によって通知を受信した受付送信元以外の予約要求返信先に対して少なくとも受信側の識別子を含む予約取消要求を返信する予約取消要求返信手段とを有し、送信側は、返信された前記予約取消要求を受信する予約取消要求受信手段と、受信された前記予約取消要求に基づいて前記受付予約情報蓄積手段に蓄積される受付予約情報の取消を行う受付予約取消手段とを有する。
【手続補正３０】
【補正対象書類名】明細書
【補正対象項目名】００４８
【補正方法】変更
【補正の内容】
【００４８】
本発明の第八の実施形態における情報受信装置では、
第四の実施形態の情報受信装置の有する手段に加えて、受付予約要求返信手段によって受付予約要求を返信した予約要求返信先を蓄積する予約要求返信先蓄積手段と、前記通知受信手段によって受付通知を受信した受付送信元以外の予約要求返信先に対して少なくとも受信側の識別子を含む予約取消要求を返信する予約取消要求返信手段とを有する。
【手続補正３１】
【補正対象書類名】明細書
【補正対象項目名】００５０
【補正方法】変更
【補正の内容】
【００５０】
本発明の第八の実施形態における情報送出装置では、受信側において受付予約要求を返信した返信先の中から送信されてきた予約取消を行う受信側の識別子を含む予約取消要求情報を受信する予約取消要求受信手段と、受信された前記予約取消要求情報に基づいて前記受付予約情報蓄積手段に蓄積される受付予約情報の取消を行う受付予約取消手段とを有する。
【手続補正３２】
【補正対象書類名】明細書
【補正対象項目名】００５１
【補正方法】変更
【補正の内容】
【００５１】
かかる構成により、送信側において受付予約を取消を行うことができる。
本発明の第九の実施形態における情報伝達方法では、
受信側は、受付予約要求を返信した返信先を蓄積し、蓄積される予約要求返信先を表示し、表示された前記予約要求返信先の選択を受け付け、選択された前記予約要求返信先に対して少なくとも受信側の識別子を含む予約問い合わせ要求を返信し、送信側では、返信された前記予約問い合わせ要求を受信し、蓄積された前記人物の数と蓄積された前記受付予約情報に基づいて受付順序待ち情報を生成し、生成された受付順序待ち情報を送信し、前記受信側は、前記受付順序待ち情報を受信し、受信した受付順序待ち情報を表示することを特徴とする。
【手続補正３３】
【補正対象書類名】明細書
【補正対象項目名】００５２
【補正方法】変更
【補正の内容】
【００５２】
本発明の第九の実施形態における情報伝達装置では、
第二の実施形態の情報伝達装置の有する手段に加えて、受信側は、受付予約要求返信手段によって受付予約要求を返信した返信先を蓄積する予約要求返信先蓄積手段と、前記予約要求返信先蓄積手段に蓄積される予約要求返信先を表示する予約要求返信先表示手段と、表示された前記予約要求返信先を選択する予約要求返信先選択手段と、選択された前記予約要求返信先に対して少なくとも受信側の識別子を含む予約問い合わせ要求を返信する予約問い合わせ要求返信手段とを有し、送信側は、返信された前記予約問い合わせ要求を受信する予約問い合わせ要求受信手段と、人数蓄積手段に蓄積される人物の数と前記受付予約情報蓄積手段に蓄積される受付予約情報に基づいて受付順序待ち情報を生成する受付順序待ち情報構成手段と、前記受付順序待ち情報を送信する受付順序待ち情報送信手段とを有し、受信側は、さらに前記受付順序待ち情報を受信する受付順序待ち情報受信手段と、受信した前記受付順序待ち情報を表示する受付順序待ち情報表示手段とを有する。
【手続補正３４】
【補正対象書類名】明細書
【補正対象項目名】００５４
【補正方法】変更
【補正の内容】
【００５４】
本発明の第九の実施形態における情報通信方法では、
第二の実施形態の情報受信装置の有する手段に加えて、前記受付予約要求返信手段によって受付予約要求を返信した返信先を蓄積する予約要求返信先蓄積手段と、前記予約要求返信先蓄積手段に蓄積される予約要求返信先を表示する予約要求返信先表示手段と、表示された前記予約要求返信先を選択する予約要求返信先選択手段と、選択された前記予約要求返信先に対して少なくとも受信側の識別子を含む予約問い合わせ要求を返信する予約問い合わせ要求返信手段と、少なくとも予約者を識別する識別子および予約の順序からなる受付予約情報と人物判定によって判別された人物の数に基づいて生成された受付順序待ち情報を受信する受付順序待ち情報受信手段と、受信した前記受付順序待ち情報を表示する受付順序待ち情報表示手段とを有する。
【手続補正３５】
【補正対象書類名】明細書
【補正対象項目名】００５６
【補正方法】変更
【補正の内容】
【００５６】
本発明の第九の実施形態における情報送出装置では、  第二の実施形態の情報送出装置の有する手段に加えて、受信側において受付予約要求を返信した返信先の中で予約問い合わせを行う返信先に対して返信する少なくとも受信側の識別子を含む予約問い合わせ要求に対して、返信された前記予約問い合わせ要求を受信する予約問い合わせ要求受信手段と、人数蓄積手段に蓄積される人物の数と前記受付予約情報蓄積手段に蓄積される受付予約情報に基づいて受付順序待ち情報を生成する受付順序待ち情報構成手段と、前記受付順序待ち情報を送信する受付順序待ち情報送信手段とを有する。
【手続補正３６】
【補正対象書類名】明細書
【補正対象項目名】００５８
【補正方法】変更
【補正の内容】
【００５８】
本発明の第十の実施形態における情報伝達方法では、
送信側は、人物を判別し、判別された前記人物の数を更新蓄積し、蓄積された前記人物の数および前記人物の数を表示するプログラムを送信し、受信側は、前記人物の数および前記プログラムを受信し、受信した前記人物の数を前記プログラムを実行することにより表示することを特徴とする。
【手続補正３７】
【補正対象書類名】明細書
【補正対象項目名】００５９
【補正方法】変更
【補正の内容】
【００５９】
本発明の第十の実施形態における情報伝達装置では、
送信側は、人物を判別する人物判別手段と、前記人物判別手段によって判別された人物の数を蓄積する人数蓄積手段と、前記人数蓄積手段に蓄積される人数の更新を行う人数更新手段と、前記人数蓄積手段に蓄積される人物の数を送信する人数送信手段と、前記人物の数を表示するプログラムを送信する表示プログラム送信手段とを有し、受信側は、前記人数送信手段によって送信された人物の数を受信する人数受信手段と、前記表示プログラム受信手段と、前記人数受信手段によって受信された人物の数を受信した前記表示プログラムを実行することにより表示する人数表示手段とを有する。
【手続補正３８】
【補正対象書類名】明細書
【補正対象項目名】００６１
【補正方法】変更
【補正の内容】
【００６１】
本発明の第十の実施形態における情報送出装置では、
人物を判別する人物判別手段と、前記人物判別手段によって判別された人物の数を蓄積する人数蓄積手段と、前記人数蓄積手段に蓄積される人数の更新を行う人数更新手段と、前記人数蓄積手段に蓄積される人物の数を送信する人数送信手段と、前記人物の数を表示するプログラムを送信する表示プログラム送信手段とを有する。
【手続補正３９】
【補正対象書類名】明細書
【補正対象項目名】００６３
【補正方法】変更
【補正の内容】
【００６３】
本発明の第十の実施形態における情報受信装置では、
人物判定によって判別された人物の数を受信する人数受信手段と、前記人物の数を表示するプログラムを受信する表示プログラム受信手段と、前記人数受信手段によって受信された人物の数を受信した前記表示プログラムを熟考することにより表示する人数表示手段とを有する。
【手続補正４０】
【補正対象書類名】明細書
【補正対象項目名】００６５
【補正方法】変更
【補正の内容】
【００６５】
（実施の形態１）
以下、第１の発明の一実施形態を図面を参照しながら説明する。